(57)【要約】【課題】  複雑な温度プロファイルであっても、温度可変装置の温度制御を精度良く行う温度制御システムと温度制御装置を提供する。【解決手段】  時系列上の複数の時点と該時点のそれぞれにおける目標設定温度とを含む目標設定温度情報の入力操作部１３と、前記時点のそれぞれにおける温度制御用のＰＩＤ制御情報の入力操作部１４と、これらの情報表示を行う情報表示部１９と、目標設定温度を定めた時点間隔を複数に分割した時間毎のペルチェモジュール１の制御操作量を前記ＰＩＤ制御情報に基づいて求める温度可変装置操作量算出部３１と、温度可変装置操作量算出部３１により求めた温度可変装置の制御操作量の算出値に基づき、被温度可変対象物９の温度（温度検出素子１０の検出温度）が前記目標設定温度情報と一致するようにペルチェモジュール１の制御操作量を調節制御する温度可変装置操作量制御手段３２とを設ける。【選択図】        図１
2007041947.tif 000002
【特許請求の範囲】
【請求項１】
被温度可変対象物の温度を直接または間接に検出する対象物温度検出手段と、前記被温度可変対象物の加熱と冷却の少なくとも一方の温度可変動作を行う温度可変装置と、該温度可変装置による温度可変動作の制御を行う温度制御装置とを有し、該温度制御装置は、時系列上の複数の時点と該時点のそれぞれにおける目標設定温度とを含む目標設定温度情報の入力操作部と、前記時点のそれぞれにおける温度制御用のＰＩＤ制御情報の入力操作部と、前記目標設定温度情報と前記ＰＩＤ制御情報の一方または両方の表示指令が行われたときに指令された情報を表示する情報表示部と、前記目標設定温度を定めた時点間隔を複数に分割した時間毎の前記温度可変装置の制御操作量を前記ＰＩＤ制御情報に基づいて求める温度可変装置操作量算出部と、該温度可変装置操作量算出部により求めた温度可変装置の制御操作量の算出値に基づき、前記対象物温度検出手段により検出される検出温度が前記目標設定温度情報と一致するように前記温度可変装置の制御操作量を調節制御する温度可変装置操作量制御手段とを有することを特徴とする温度制御システム。
【請求項２】
目標設定温度情報の入力操作部により設定される時点のそれぞれにおける温度制御用のＰＩＤ制御情報を前記目標設定温度情報に基づいて自動設定入力するＰＩＤ制御情報自動設定入力部が設けられていることを特徴とする請求項１記載の温度制御システム。
【請求項３】
ＰＩＤ制御情報の入力操作部を用いてのＰＩＤ制御情報の入力とＰＩＤ制御情報自動設定入力部によるＰＩＤ制御情報の自動設定入力とのいずれかを選択するＰＩＤ制御情報入力選択操作部を有し、該ＰＩＤ制御情報入力選択操作部によりＰＩＤ制御情報自動設定入力部によるＰＩＤ制御情報の自動設定入力が選択されたときには、前記ＰＩＤ制御情報自動設定入力部がＰＩＤ制御情報を自動設定入力することを特徴とする請求項２記載の温度制御システム。
【請求項４】
被温度可変対象物の温度を直接または間接に検出する対象物温度検出手段と、前記被温度可変対象物の加熱と冷却の少なくとも一方の温度可変動作を行う温度可変装置と、該温度可変装置による温度可変動作の制御を行う温度制御装置とを有し、該温度制御装置は、時系列上の複数の時点と該時点のそれぞれにおける目標設定温度とを含む目標設定温度情報の入力操作部と、前記時点のそれぞれにおける温度制御用のＰＩＤ制御情報を前記目標設定温度情報に基づいて自動設定入力するＰＩＤ制御情報自動設定入力部と、前記目標設定温度情報と前記ＰＩＤ制御情報の一方または両方の表示指令が行われたときに指令された情報を表示する情報表示部と、前記目標設定温度を定めた時点間隔を複数に分割した時間毎の前記温度可変装置の制御操作量を前記ＰＩＤ制御情報に基づいて求める温度可変装置操作量算出部と、該温度可変装置操作量算出部により求めた温度可変装置の制御操作量の算出値に基づき、前記対象物温度検出手段により検出される検出温度が前記目標設定温度情報と一致するように前記温度可変装置の制御操作量を調節制御する温度可変装置操作量制御手段とを有することを特徴とする温度制御システム。
【請求項５】
温度制御装置は、目標設定温度情報の入力操作部により入力された目標設定温度情報を格納する目標設定温度情報格納部と、対象物温度検出手段により検出される検出温度情報を格納する検出温度情報格納部とを有し、ＰＩＤ制御情報自動設定入力部は自動設定したＰＩＤ制御情報に基づいて制御される被温度可変対象物の温度情報を前記検出温度情報格納部から取り込み、取り込んだ温度情報と前記目標設定温度情報格納部に格納されている目標設定温度情報とを比較してその差が小さくなるように前記ＰＩＤ制御情報を学習により修正する学習手段を有することを特徴とする請求項２または請求項３または請求項４記載の温度制御システム。
【請求項６】
目標設定温度情報の入力操作部は、少なくとも、目標設定温度の上昇開始時点および上昇終了時点と目標設定温度の下降開始時点および下降終了時点との少なくとも一方と、これらの各時点におけるそれぞれの目標設定温度を入力可能と成しており、ＰＩＤ制御情報の入力操作部は、前記時点のそれぞれにおけるＰＩＤ制御情報を入力可能と成していることを特徴とする請求項１または請求項２または請求項３または請求項５記載の温度制御システム。
【請求項７】
目標設定温度情報の入力操作部は、少なくとも、目標設定温度の上昇開始時点および上昇終了時点と目標設定温度の下降開始時点および下降終了時点との少なくとも一方と、これらの各時点におけるそれぞれの目標設定温度を入力可能と成しており、ＰＩＤ制御情報自動設定入力部は、前記時点のそれぞれにおけるＰＩＤ制御情報を設定入力することを特徴とする請求項２乃至請求項５記載の温度制御システム。
【請求項８】
温度可変装置は、互いに間隔を介して複数配置されたＰ型の熱電変換素子とＮ型の熱電変換素子とを電気的に接続して成る熱電変換素子の回路を有して、該回路に電流を流すことにより被温度可変対象物の温度可変動作を行うペルチェモジュールとしたことを特徴とする請求項１乃至請求項７のいずれか一つに記載の温度制御システム。
【請求項９】
情報表示部は、目標設定温度情報を時系列上の複数の時点と温度との関係を示すグラフにより表示するグラフ表示部を有することを特徴とする請求項１乃至請求項８のいずれか一つに記載の温度制御システム。
【請求項１０】
温度制御装置は、対象物温度検出手段により検出される検出温度をグラフ表示部のグラフに表示する検出温度表示制御部を有することを特徴とする請求項９記載の温度制御システム。
【請求項１１】
温度制御装置は、温度可変装置の制御操作量上限値と作動時間上限値の少なくとも一方を設定する温度可変装置リミット設定部と、温度可変装置の制御操作量が前記制御操作量上限値に達することと温度可変装置の作動時間が前記作動時間上限値に達することの少なくとも一方が生じたときには、予め定めた復帰条件を満たすまで前記温度可変装置の作動を停止する温度可変装置の停止制御部とを有することを特徴とする請求項１乃至請求項１０のいずれか一つに記載の温度制御システム。
【請求項１２】
温度制御装置は、温度可変装置の制御操作量上限値を設定する温度可変装置リミット設定部を有し、温度可変装置操作量制御手段は温度可変装置の制御操作量が前記制御操作量上限値を越えると予測されるときには温度可変装置の制御操作量を前記制御操作量の上限値以下で上限値近傍の値に維持して制御することを特徴とする請求項１乃至請求項１０のいずれか一つに記載の温度制御システム。
【請求項１３】
温度制御装置は、少なくとも温度可変装置操作量制御手段による温度可変装置の制御操作量の調節量と対象物温度検出手段の検出温度とに基づいて被温度可変対象物の温度制御状態の異常を判断する異常判断部と、該異常判断部による異常判断が行われたときには前記温度制御状態の異常を報知する異常報知部とを有することを特徴とする請求項１乃至請求項１２のいずれか一つに記載の温度制御システム。
【請求項１４】
温度制御装置は、互いに通信可能に接続される操作量制御装置と情報入出力装置とを有し、前記操作量制御装置に異常判断部を設け、前記情報入出力装置に異常報知部を設けたことを特徴とする請求項１３記載の温度制御システム。
【請求項１５】
温度制御装置は、互いに通信可能に接続される操作量制御装置と情報入出力装置とを有し、該情報入出力装置に目標設定温度情報の入力操作部とＰＩＤ制御情報の入力操作部と情報表示部とが設けられ、前記操作量制御装置に温度可変装置操作量算出部と温度可変装置操作量制御手段とが設けられていることを特徴とする請求項１または請求項２または請求項３または請求項５乃至請求項１４のいずれか一つに記載の温度制御システム。
【請求項１６】
温度制御装置は、互いに通信可能に接続される操作量制御装置と情報入出力装置とを有し、該情報入出力装置に目標設定温度情報の入力操作部とＰＩＤ制御情報自動設定入力部と情報表示部とが設けられ、前記操作量制御装置に温度可変装置操作量算出部と温度可変装置操作量制御手段とが設けられていることを特徴とする請求項２乃至請求項１４のいずれか一つに記載の温度制御システム。
【請求項１７】
情報入出力装置はパーソナルコンピュータとしたことを特徴とする請求項１４または請求項１５または請求項１６記載の温度制御システム。
【請求項１８】
請求項１または請求項２または請求項３または請求項５乃至請求項１７のいずれか一つに記載の温度制御システムに用いられ、被温度可変対象物の温度を直接または間接に検出する対象物温度検出手段と、前記被温度可変対象物の加熱と冷却の少なくとも一方の温度可変動作を行う温度可変装置とに信号接続されて、該温度可変装置による温度可変動作の制御を行う温度制御装置であって、時系列上の複数の時点と該時点のそれぞれにおける目標設定温度とを含む目標設定温度情報の入力操作部と、前記時点のそれぞれにおける温度制御用のＰＩＤ制御情報の入力操作部と、前記目標設定温度情報と前記ＰＩＤ制御情報の一方または両方の表示指令が行われたときに指令された情報を表示する情報表示部と、前記目標設定温度を定めた時点間隔を複数に分割した時間毎の前記温度可変装置の制御操作量を前記ＰＩＤ制御情報に基づいて求める温度可変装置操作量算出部と、該温度可変装置操作量算出部により求めた温度可変装置の制御操作量の算出値に基づき、前記対象物温度検出手段により検出される検出温度が前記目標設定温度情報と一致するように前記温度可変装置の制御操作量を調節制御する温度可変装置操作量制御手段とを有することを特徴とする温度制御装置。
【請求項１９】
請求項２乃至請求項１７のいずれか一つに記載の温度制御システムに用いられ、被温度可変対象物の温度を直接または間接に検出する対象物温度検出手段と、前記被温度可変対象物の加熱と冷却の少なくとも一方の温度可変動作を行う温度可変装置とに信号接続されて、該温度可変装置による温度可変動作の制御を行う温度制御装置であって、時系列上の複数の時点と該時点のそれぞれにおける目標設定温度とを含む目標設定温度情報の入力操作部と、前記時点のそれぞれにおける温度制御用のＰＩＤ制御情報を前記目標設定温度情報に基づいて自動設定入力するＰＩＤ制御情報自動設定入力部と、前記目標設定温度情報と前記ＰＩＤ制御情報の一方または両方の表示指令が行われたときに指令された情報を表示する情報表示部と、前記目標設定温度を定めた時点間隔を複数に分割した時間毎の前記温度可変装置の制御操作量を前記ＰＩＤ制御情報に基づいて求める温度可変装置操作量算出部と、該温度可変装置操作量算出部により求めた温度可変装置の制御操作量の算出値に基づき、前記対象物温度検出手段により検出される検出温度が前記目標設定温度情報と一致するように前記温度可変装置の制御操作量を調節制御する温度可変装置操作量制御手段とを有することを特徴とする温度制御装置。
【発明の詳細な説明】
【技術分野】
【０００１】
本発明は、例えばペルチェモジュール等の温度可変装置を用い、所望のプロファイルで被温度可変対象物の温度制御を行う温度制御システムおよびその温度制御システムに適用される温度制御装置に関するものである。
【背景技術】
【０００２】
従来、被温度可変対象物の温度制御を行うことが広く行われており、この温度制御には、例えばＰＩＤ（Ｐ；比例、Ｉ；積分、Ｄ；微分）制御が行われている（例えば非特許文献１、参照）。
【０００３】
また、被温度可変対象物の温度を可変する温度可変装置としては、例えばペルチェモジュール等が用いられており、近年、このペルチェモジュールの大型化が進み、高吸熱量のモジュールが開発されてきた。
【０００４】
例えば図７（ａ）、（ｂ）に示すように、ペルチェモジュール１は、互いに間隔を介して複数配置されたＰ型（ｐ型）の熱電変換素子５（５ａ）とＮ型（ｎ型）の熱電変換素子５（５ｂ）とを有しており、これらの熱電変換素子５（５ａ，５ｂ）は、電気的に接続されている。ペルチェモジュール１は、この熱電変換素子５（５ａ，５ｂ）が電気的に接続されて成る回路に電流を流すことにより被温度可変対象物の温度可変動作を行うモジュールである。
【０００５】
ペルチェモジュール１の代表的な例の１つである図７（ａ）に示すペルチェモジュール１は、互いに間隔を介して配置された絶縁性基板６，７の間にＰ型とＮ型の熱電変換素子５（５ａ，５ｂ）を立設配置しており、基板６，７の対向面１６，１７には、複数の導通用の電極２が互いに間隔を介して配列形成されている。電極２上には図示されていない半田が形成されて該半田を介して熱電変換素子５が電極２上に固定されている。絶縁性基板６，７は、一般に、アルミナ（Ａｌ２Ｏ３）等のセラミックにより形成されている。
【０００６】
また、ペルチェモジュール１の別の代表例である図７（ｂ）に示すペルチェモジュール１は、複数の素子嵌合孔３を有する絶縁性基板（絶縁支持板）３０の素子嵌合孔３に、熱電変換素子５（５ａ，５ｂ）を貫通嵌合して形成されており、絶縁性基板３０は、例えばガラスエポキシ板等により構成されている。Ｐ型とＮ型の熱電変換素子５（５ａ，５ｂ）の素子嵌合孔３への貫通方向の一端側（ここでは上側）と他端側（ここでは下側）には、それぞれ電極２が配置されており、これらの電極２はいずれも図示されていない半田付け等により熱電変換素子５（５ａ，５ｂ）に接合されている。
【０００７】
これらの図７（ａ）、（ｂ）にそれぞれ示すペルチェモジュール１において、熱電変換素子５（５ａ，５ｂ）の回路は、リード端子（図示せず）とリード線２８（図７（ｂ）には図示せず）を介して電源回路等に接続されている。
【０００８】
熱電変換素子５（５ａ，５ｂ）の回路に電流を流すと、Ｐ型の熱電変換素子５ａとＮ型の熱電変換素子５ｂに電極２を介して電流が流れて、熱電変換素子５（５ａ，５ｂ）と電極２との接合部（界面）で冷却・加熱効果が生じる。つまり、前記接合部を流れる電流の方向によって熱電変換素子５（５ａ，５ｂ）の一方の端部が発熱せしめられると共に他方の端部が冷却せしめられるいわゆるペルチェ効果が生じる。
【０００９】
このようなペルチェモジュール１を始めとし、高吸熱量や高発熱量の温度可変装置を用いることにより、近年では、温度下降の速度（あるいは、温度上昇の速度）を高速化し、高精度に温度制御を行える温度制御システムの開発競争が激しく成りつつある。
【００１０】
【非特許文献１】「ＰＩＤ制御」須田信英  第１２版  ２００３年９月（株）朝倉書店
【発明の開示】
【発明が解決しようとする課題】
【００１１】
ところで、従来は、ペルチェモジュール１等の温度可変装置の温度制御を、それほど複雑な温度プロファイルにて行うことは必要とされていなかったが、近年、バイオテクノロジーや半導体製造装置の分野等で、温度可変装置の温度制御を複雑な温度プロファイルで行うニーズが多くなってきた。
【００１２】
しかしながら、例えば、従来のＰＩＤ制御による温度制御方法は、ある温度に上昇（または下降）させたい場合に、その温度に対して一定のＰＩＤ制御値を与えて温度制御する（１つの目標設定温度には１種類のＰＩＤ制御値を与える）ものであったので、複雑な温度プロファイルで、温度可変装置の温度制御を精度良く行える温度制御システムが実現されていなかった。
【００１３】
本発明は、上記従来の課題を解決するために成されたものであり、その目的は、例えばバイオテクノロジーや半導体製造装置の分野等で要求されるような、複雑な温度プロファイルであっても、温度可変装置の温度制御を精度良く行うことができる温度制御システムおよびその温度制御システムに適用される温度制御装置を提供することにある。
【課題を解決するための手段】
【００１４】
上記目的を達成するために、本発明は次のような構成をもって課題を解決するための手段としている。すなわち、第１の発明の温度制御システムは、被温度可変対象物の温度を直接または間接に検出する対象物温度検出手段と、前記被温度可変対象物の加熱と冷却の少なくとも一方の温度可変動作を行う温度可変装置と、該温度可変装置による温度可変動作の制御を行う温度制御装置とを有し、該温度制御装置は、時系列上の複数の時点と該時点のそれぞれにおける目標設定温度とを含む目標設定温度情報の入力操作部と、前記時点のそれぞれにおける温度制御用のＰＩＤ制御情報の入力操作部と、前記目標設定温度情報と前記ＰＩＤ制御情報の一方または両方の表示指令が行われたときに指令された情報を表示する情報表示部と、前記目標設定温度を定めた時点間隔を複数に分割した時間毎の前記温度可変装置の制御操作量を前記ＰＩＤ制御情報に基づいて求める温度可変装置操作量算出部と、該温度可変装置操作量算出部により求めた温度可変装置の制御操作量の算出値に基づき、前記対象物温度検出手段により検出される検出温度が前記目標設定温度情報と一致するように前記温度可変装置の制御操作量を調節制御する温度可変装置操作量制御手段とを有する構成をもって課題を解決する手段としている。
【００１５】
また、第２の発明の温度制御システムは、上記第１の発明の構成に加え、前記目標設定温度情報の入力操作部により設定される時点のそれぞれにおける温度制御用のＰＩＤ制御情報を前記目標設定温度情報に基づいて自動設定入力するＰＩＤ制御情報自動設定入力部が設けられている構成をもって課題を解決する手段としている。
【００１６】
さらに、第３の発明の温度制御システムは、上記第２の発明の構成に加え、前記ＰＩＤ制御情報の入力操作部を用いてのＰＩＤ制御情報の入力とＰＩＤ制御情報自動設定入力部によるＰＩＤ制御情報の自動設定入力とのいずれかを選択するＰＩＤ制御情報入力選択操作部を有し、該ＰＩＤ制御情報入力選択操作部によりＰＩＤ制御情報自動設定入力部によるＰＩＤ制御情報の自動設定入力が選択されたときには、前記ＰＩＤ制御情報自動設定入力部がＰＩＤ制御情報を自動設定入力する構成をもって課題を解決する手段としている。
【００１７】
さらに、第４の発明の温度制御システムは、被温度可変対象物の温度を直接または間接に検出する対象物温度検出手段と、前記被温度可変対象物の加熱と冷却の少なくとも一方の温度可変動作を行う温度可変装置と、該温度可変装置による温度可変動作の制御を行う温度制御装置とを有し、該温度制御装置は、時系列上の複数の時点と該時点のそれぞれにおける目標設定温度とを含む目標設定温度情報の入力操作部と、前記時点のそれぞれにおける温度制御用のＰＩＤ制御情報を前記目標設定温度情報に基づいて自動設定入力するＰＩＤ制御情報自動設定入力部と、前記目標設定温度情報と前記ＰＩＤ制御情報の一方または両方の表示指令が行われたときに指令された情報を表示する情報表示部と、前記目標設定温度を定めた時点間隔を複数に分割した時間毎の前記温度可変装置の制御操作量を前記ＰＩＤ制御情報に基づいて求める温度可変装置操作量算出部と、該温度可変装置操作量算出部により求めた温度可変装置の制御操作量の算出値に基づき、前記対象物温度検出手段により検出される検出温度が前記目標設定温度情報と一致するように前記温度可変装置の制御操作量を調節制御する温度可変装置操作量制御手段とを有する構成をもって課題を解決する手段としている。
【００１８】
さらに、第５の発明の温度制御システムは、上記第２または第３または第４の発明の構成に加え、前記温度制御装置は、目標設定温度情報の入力操作部により入力された目標設定温度情報を格納する目標設定温度情報格納部と、対象物温度検出手段により検出される検出温度情報を格納する検出温度情報格納部とを有し、ＰＩＤ制御情報自動設定入力部は自動設定したＰＩＤ制御情報に基づいて制御される被温度可変対象物の温度情報を前記検出温度情報格納部から取り込み、取り込んだ温度情報と前記目標設定温度情報格納部に格納されている目標設定温度情報とを比較してその差が小さくなるようにＰＩＤ制御情報を学習により修正する学習手段を有する構成をもって課題を解決する手段としている。
【００１９】
さらに、第６の発明の温度制御システムは、第１または第２または第３または第５の発明の構成に加え、前記目標設定温度情報の入力操作部は、少なくとも、目標設定温度の上昇開始時点および上昇終了時点と目標設定温度の下降開始時点および下降終了時点との少なくとも一方と、これらの各時点におけるそれぞれの目標設定温度を入力可能と成しており、ＰＩＤ制御情報の入力操作部は、前記時点のそれぞれにおけるＰＩＤ制御情報を入力可能と成している構成をもって課題を解決する手段としている。
【００２０】
さらに、第７の発明の温度制御システムは、上記第２乃至第５のいずれか一つの発明の構成に加え、前記目標設定温度情報の入力操作部は、少なくとも、目標設定温度の上昇開始時点および上昇終了時点と目標設定温度の下降開始時点および下降終了時点との少なくとも一方と、これらの各時点におけるそれぞれの目標設定温度を入力可能と成しており、ＰＩＤ制御情報自動設定入力部は、前記時点のそれぞれにおけるＰＩＤ制御情報を設定入力することを特徴とする。
【００２１】
さらに、第８の発明の温度制御システムは、上記第１乃至第７のいずれか一つの発明の構成に加え、前記温度可変装置は、互いに間隔を介して複数配置されたＰ型の熱電変換素子とＮ型の熱電変換素子とを電気的に接続して成る熱電変換素子の回路を有して、該回路に電流を流すことにより被温度可変対象物の温度可変動作を行うペルチェモジュールとした構成をもって課題を解決する手段としている。
【００２２】
さらに、第９の発明の温度制御システムは、上記第１乃至第８のいずれか一つの発明の構成に加え、前記情報表示部は、目標設定温度情報を時系列上の複数の時点と温度との関係を示すグラフにより表示するグラフ表示部を有する構成をもって課題を解決する手段としている。
【００２３】
さらに、第１０の発明の温度制御システムは、上記第９の発明の構成に加え、前記温度制御装置は、対象物温度検出手段により検出される検出温度をグラフ表示部のグラフに表示する検出温度表示制御部を有する構成をもって課題を解決する手段としている。
【００２４】
さらに、第１１の発明の温度制御システムは、上記第１乃至第１０のいずれか一つの発明の構成に加え、前記温度制御装置は、温度可変装置の制御操作量上限値と作動時間上限値の少なくとも一方を設定する温度可変装置リミット設定部と、温度可変装置の制御操作量が前記制御操作量上限値に達することと温度可変装置の作動時間が前記作動時間上限値に達することの少なくとも一方が生じたときには、予め定めた復帰条件を満たすまで前記温度可変装置の作動を停止する温度可変装置の停止制御部とを有する構成をもって課題を解決する手段としている。
【００２５】
さらに、第１２の発明の温度制御システムは、上記第１乃至第１０のいずれか一つの発明の構成に加え、前記温度制御装置は、温度可変装置の制御操作量上限値を設定する温度可変装置リミット設定部を有し、温度可変装置操作量制御手段は温度可変装置の制御操作量が前記制御操作量上限値を越えると予測されるときには温度可変装置の制御操作量を前記制御操作量の上限値以下で上限値近傍の値に維持して制御することを特徴とする。
【００２６】
さらに、第１３の発明の温度制御システムは、上記第１乃至第１２のいずれか一つの発明の構成に加え、前記温度制御装置は、少なくとも温度可変装置操作量制御手段による温度可変装置の制御操作量の調節量と対象物温度検出手段の検出温度とに基づいて被温度可変対象物の温度制御状態の異常を判断する異常判断部と、該異常判断部による異常判断が行われたときには前記温度制御状態の異常を報知する異常報知部とを有することを特徴とする。
【００２７】
さらに、第１４の発明の温度制御システムは、上記第１３の発明の構成に加え、前記温度制御装置は、互いに通信可能に接続される操作量制御装置と情報入出力装置とを有し、前記操作量制御装置に異常判断部を設け、前記情報入出力装置に異常報知部を設けたことを特徴とする。
【００２８】
さらに、第１５の発明の温度制御システムは、上記第１または第２または第３または第５乃至第１４のいずれか一つの発明の構成に加え、前記温度制御装置は、互いに通信可能に接続される操作量制御装置と情報入出力装置とを有し、該情報入出力装置に目標設定温度情報の入力操作部とＰＩＤ制御情報の入力操作部と情報表示部とが設けられ、前記操作量制御装置に温度可変装置操作量算出部と温度可変装置操作量制御手段とが設けられている構成をもって課題を解決する手段としている。
【００２９】
さらに、第１６の発明の温度制御システムは、上記第２乃至第１４のいずれか一つの発明の構成に加え、前記温度制御装置は、互いに通信可能に接続される操作量制御装置と情報入出力装置とを有し、該情報入出力装置に目標設定温度情報の入力操作部とＰＩＤ制御情報自動設定入力部と情報表示部とが設けられ、前記操作量制御装置に温度可変装置操作量算出部と温度可変装置操作量制御手段とが設けられていることを特徴とする。
【００３０】
さらに、第１７の発明の温度制御システムは、上記第１４または第１５または第１６の発明の構成に加え、前記情報入出力装置はパーソナルコンピュータとしたことを特徴とする。
【００３１】
さらに、第１８の発明の温度制御装置は、上記第１または第２または第３または第５乃至第１７のいずれか一つの発明の温度制御システムに用いられ、前記被温度可変対象物の温度を直接または間接に検出する対象物温度検出手段と、前記被温度可変対象物の加熱と冷却の少なくとも一方の温度可変動作を行う温度可変装置とに信号接続されて、該温度可変装置による温度可変動作の制御を行う温度制御装置であって、時系列上の複数の時点と該時点のそれぞれにおける目標設定温度とを含む目標設定温度情報の入力操作部と、前記時点のそれぞれにおける温度制御用のＰＩＤ制御情報の入力操作部と、前記目標設定温度情報と前記ＰＩＤ制御情報の一方または両方の表示指令が行われたときに指令された情報を表示する情報表示部と、前記目標設定温度を定めた時点間隔を複数に分割した時間毎の前記温度可変装置の制御操作量を前記ＰＩＤ制御情報に基づいて求める温度可変装置操作量算出部と、該温度可変装置操作量算出部により求めた温度可変装置の制御操作量の算出値に基づき、前記対象物温度検出手段により検出される予め定められた設定時間毎の検出温度が前記目標設定温度情報と一致するように前記温度可変装置の制御操作量を調節制御する温度可変装置操作量制御手段とを有することを特徴とする。
【００３２】
さらに、第１９の発明の温度制御装置は、上記第２乃至第１７のいずれか一つの発明の温度制御システムに用いられ、前記被温度可変対象物の温度を直接または間接に検出する対象物温度検出手段と、前記被温度可変対象物の加熱と冷却の少なくとも一方の温度可変動作を行う温度可変装置とに信号接続されて、該温度可変装置による温度可変動作の制御を行う温度制御装置であって、時系列上の複数の時点と該時点のそれぞれにおける目標設定温度とを含む目標設定温度情報の入力操作部と、前記時点のそれぞれにおける温度制御用のＰＩＤ制御情報を前記目標設定温度情報に基づいて自動設定入力するＰＩＤ制御情報自動設定入力部と、前記目標設定温度情報と前記ＰＩＤ制御情報の一方または両方の表示指令が行われたときに指令された情報を表示する情報表示部と、前記目標設定温度を定めた時点間隔を複数に分割した時間毎の前記温度可変装置の制御操作量を前記ＰＩＤ制御情報に基づいて求める温度可変装置操作量算出部と、該温度可変装置操作量算出部により求めた温度可変装置の制御操作量の算出値に基づき、前記対象物温度検出手段により検出される予め定められた設定時間毎の検出温度が前記目標設定温度情報と一致するように前記温度可変装置の制御操作量を調節制御する温度可変装置操作量制御手段とを有することを特徴とする。
【発明の効果】
【００３３】
本発明によれば、被温度可変対象物の加熱と冷却の少なくとも一方の温度可変動作を行う温度可変装置の温度を制御するために、特徴的な温度制御装置を設けており、この温度制御装置に設けた目標設定温度情報の入力操作部によって、時系列上の複数の時点と該時点のそれぞれにおける目標設定温度とを含む目標設定温度情報を入力できる。つまり、本発明において、入力可能な目標設定温度情報は、時系列上の複数の時点における目標設定温度を含む情報であり、時系列上の所望の間隔において時点設定を行い、その時点における目標設定温度を設定することにより、複雑な温度プロファイルであっても、その目標設定温度情報を入力できる。
【００３４】
また、ＰＩＤ制御情報の入力操作部を操作することによる前記時点（目標設定温度を設定した時点）毎のＰＩＤ制御情報の入力操作、またはＰＩＤ制御情報自動設定入力部によるＰＩＤ制御情報の前記目標設定温度情報に基づく前記時点（目標設定温度を設定した時点）毎の自動設定入力を行うことにより、目標設定温度情報に対応させて、きめ細かくＰＩＤ制御情報を入力できる。
【００３５】
本発明は、このように、温度制御装置に、時系列上の複数の時点毎に、目標設定温度とＰＩＤ制御情報を入力できるので、複雑な温度プロファイルであっても、そのプロファイルにとって最も適した時点ポイントで最適なＰＩＤ制御情報の入力操作や自動設定動作を行うことができ、最適なＰＩＤ制御情報を入力することができる。
【００３６】
例えば、本発明は、第６、第７の発明のように、目標設定温度情報の入力操作部が、少なくとも、目標設定温度の上昇開始時点および上昇終了時点と目標設定温度の下降開始時点および下降終了時点との少なくとも一方と、これらの各時点におけるそれぞれの目標設定温度を入力可能と成しており、この入力によって、単に目標設定温度を１つ以上設定することだけでなく、その温度上昇や温度下降のタイミング、温度上昇や温度下降の速度といったきめ細かい情報を含んだ目標設定温度情報が入力可能となる。
【００３７】
そして、目標設定温度情報の入力操作部が入力した時点のそれぞれにおけるＰＩＤ制御情報が入力操作または自動設定入力により入力されるので、同じ目標設定温度でも、その目標設定温度の設定時点以前の目標設定温度情報に対応させた最適なＰＩＤ制御情報の入力が可能となり、この最適なＰＩＤ制御情報に基づいて温度可変装置操作量を算出し、この算出値に基づいて被温度可変対象物の検出温度が前記目標設定温度情報と一致するように、温度可変装置の制御操作量を調節制御するので、複雑な温度プロファイルであってもその温度プロファイルに合わせて精度良く被温度対象物の温度制御を行うことができる。
【００３８】
なお、本発明において、前記目標設定温度情報と前記ＰＩＤ制御情報の一方または両方の表示指令が行われたときには、指令された情報の表示が情報表示部により行われるので、目標設定温度情報やＰＩＤ制御情報の入力は容易に行うことができる。
【００３９】
また、本発明において、ＰＩＤ制御情報の入力操作部とＰＩＤ制御情報自動設定入力部の両方が設けられている構成によれば、ＰＩＤ制御情報の入力操作部を用いたＰＩＤ制御情報の入力とＰＩＤ制御情報自動設定入力部によるＰＩＤ制御情報の自動設定入力とを、必要に応じて適宜行うことにより、上記温度制御を正確に行うことができる。
【００４０】
例えば、本発明において、ＰＩＤ制御情報の入力操作部によるＰＩＤ制御情報の入力と、ＰＩＤ制御情報自動設定入力部によるＰＩＤ制御情報の自動設定入力とのいずれかを選択するＰＩＤ制御情報入力選択操作部を設け、その選択に応じて前記ＰＩＤ制御情報自動設定入力部がＰＩＤ制御情報を自動設定するようにすれば、ＰＩＤ制御情報入力選択操作部による操作によって、ＰＩＤ制御情報の入力操作部を用いたＰＩＤ制御情報の入力とＰＩＤ制御情報自動設定入力部によるＰＩＤ制御情報の自動設定入力とを必要に応じて適宜行うことができる。
【００４１】
また、本発明において、ＰＩＤ制御情報自動設定入力部を有し、このＰＩＤ制御情報自動設定入力部が、被温度可変対象物の温度情報と目標設定温度情報とを比較してその差が小さくなるようにＰＩＤ制御情報を学習により修正する学習手段を有する構成によれば、ＰＩＤ制御情報自動設定入力部により設定されるＰＩＤ制御情報が、上記学習によってより的確な値に修正され、より正確な温度制御を行うことができる。
【００４２】
さらに、本発明において、温度可変装置は、互いに間隔を介して複数配置されたＰ型の熱電変換素子とＮ型の熱電変換素子とを電気的に接続して成る熱電変換素子の回路を有して、該回路に電流を流すことにより被温度可変対象物の温度可変動作を行うペルチェモジュールとした構成によれば、温度可変装置としてペルチェモジュールを適用することによって、温度制御装置によって、容易に、かつ、非常に正確に、温度制御を行うことができる。
【００４３】
さらに、本発明において、前記情報表示部は、目標設定温度情報を時系列上の複数の時点と温度との関係を示すグラフにより表示するグラフ表示部を有する構成によれば、目標設定温度情報をグラフ表示することによって、非常に簡潔に、かつ、分かりやすく目標設定温度情報を表示することができ、利用者が目標設定温度情報の設定や認識を的確に行えるようにすることができる。
【００４４】
さらに、本発明において、温度制御装置は、対象物温度検出手段により検出される検出温度をグラフ表示部のグラフに表示する検出温度表示制御部を有する構成によれば、目標設定温度情報と対象物温度検出手段により検出される検出温度とをグラフ表示によって比較することができ、温度制御状態を例えば時々刻々と的確に把握できるようにすることができる。
【００４５】
さらに、本発明において、温度制御装置は、温度可変装置の制御操作量上限値と作動時間上限値の少なくとも一方を設定する温度可変装置リミット設定部と、温度可変装置の制御操作量が前記制御操作量上限値に達することと温度可変装置の作動時間が前記作動時間上限値に達することの少なくとも一方が生じたときには、予め定めた復帰条件を満たすまで前記温度可変装置の作動を停止する温度可変装置の停止制御部とを有する構成によれば、温度可変装置をその制御操作量上限値や作動時間上限値を越えて動作させることがなく、温度可変装置をより安全に動作させることができる。
【００４６】
さらに、本発明において、温度制御装置は、温度可変装置の制御操作量上限値を設定する温度可変装置リミット設定部を有し、温度可変装置操作量制御手段は温度可変装置の制御操作量が前記制御操作量上限値を越えると予測されるときには温度可変装置の制御操作量を前記制御操作量の上限値以下で上限値近傍の値に維持して制御する構成によれば、温度可変装置をその制御操作量上限値を越えて動作させることはなく、制御操作量上限値以下で制御操作量上限値近傍の値出動作することができるので、温度可変装置をより安全に的確に動作させることができる。
【００４７】
上記温度可変装置リミット設定部を設けて構成する各発明は、特に、温度可変装置をペルチェモジュールとした場合に、ペルチェモジュールがその制御操作量上限値や作動時間上限値を越えて動作することにより、ペルチェモジュールの破損、もしくは、電気的に周辺回路や熱的に周辺環境に悪影響を及ぼすことを抑制できる。
【００４８】
さらに、本発明において、温度制御装置は、少なくとも温度可変装置操作量制御手段による温度可変装置の制御操作量の調節量と対象物温度検出手段の検出温度とに基づいて被温度可変対象物の温度制御状態の異常を判断する異常判断部と、該異常判断部による異常判断が行われたときには前記温度制御状態の異常を報知する異常報知部とを有する構成によれば、温度制御状態の異常判断と異常報知とによって、温度制御の異常を的確に判断して報知し、対処を促すことができる。
【００４９】
さらに、本発明において、温度制御装置は、互いに通信可能に接続される操作量制御装置と情報入出力装置とを有し、前記操作量制御装置に異常判断部を設け、前記情報入出力装置に異常報知部を設けた構成によれば、例えば操作量制御装置と情報入出力装置とを互いに離れた場所に設置しても、的確に温度制御を行うことができ、かつ、温度制御状態に異常が発生したときの異常判断および異常報知を的確にできる。
【００５０】
さらに、本発明において、温度制御装置は、互いに通信可能に接続される操作量制御装置と情報入出力装置とを有し、該情報入出力装置に目標設定温度情報の入力操作部とＰＩＤ制御情報の入力操作部と情報表示部とが設けられ、前記操作量制御装置に温度可変装置操作量算出部と温度可変装置操作量制御手段とが設けられている構成によれば、例えば操作量制御装置と情報入出力装置とを互いに離れた場所に設置しても、的確に温度制御を行うことができるし、情報入出力装置を用いた情報入出力動作と操作量制御装置を用いた温度制御動作をより使い勝手が良い状態で各々行うことができる。
【００５１】
さらに、本発明において、温度制御装置は、互いに通信可能に接続される操作量制御装置と情報入出力装置とを有し、該情報入出力装置に目標設定温度情報の入力操作部とＰＩＤ制御情報自動設定入力部と情報表示部とが設けられ、前記操作量制御装置に温度可変装置操作量算出部と温度可変装置操作量制御手段とが設けられている構成によれば、同様に、例えば操作量制御装置と情報入出力装置とを互いに離れた場所に設置しても、的確に温度制御を行うことができるし、情報入出力装置を用いた情報入出力動作と操作量制御装置を用いた温度制御動作をより使い勝手が良い状態で各々行うことができる。
【００５２】
さらに、本発明において、情報入出力装置を有して、この装置をパーソナルコンピュータとした構成によれば、パーソナルコンピュータは非常に使い勝手が良く、広く普及されているので、パーソナルコンピュータを用いての情報入出力動作を容易に、かつ、的確に行うことができる温度制御システムと温度制御装置を実現することができる。
【発明を実施するための最良の形態】
【００５３】
以下、本発明の実施の形態を、図面を参照して説明する。
【００５４】
図２には、本発明に係る温度制御システムの構成が被温度可変対象物と共に模式的に示されており、図１には、この実施形態例の温度制御システムの一実施形態例のブロック構成が示されている。
【００５５】
図２に示すように、本実施形態例の温度制御システムは、被温度可変対象物９の加熱と冷却の少なくとも一方（ここでは両方）の温度可変動作を行う温度可変装置としてのペルチェモジュール１を有しており、このペルチェモジュール１は、図７（ａ）に示した態様のペルチェモジュールである。このペルチェモジュール１には、下側配置の絶縁性基板７に放熱用のフィン（図示せず）が設けられており、上側配置の絶縁性基板６側で加熱を行う際に、絶縁性基板７側からフィンを介して効率的に放熱が行えるように構成されている。
【００５６】
ペルチェモジュール１の絶縁性基板６には、この絶縁性基板６の温度を検出する温度検出素子（温度センサ）１０が設けられており、この温度検出素子１０は、被温度可変対象物９の温度を間接に検出する対象物温度検出手段として機能する。
【００５７】
また、本実施形態例の温度制御システムは、ペルチェモジュール１による温度可変動作の制御を行う特徴的な温度制御装置８を有しており、温度制御装置８は、互いに通信可能に接続される操作量制御装置１１と情報入出力装置１２とを有している。情報入出力装置１２は、パーソナルコンピュータにより形成されている。なお、符号４０，４１は、それぞれ通信線を示し、符号４２はペルチェモジュール駆動ケーブルを示す。
【００５８】
図１に示すように、情報入出力装置１２には、目標設定温度情報の入力操作部１３と、目標設定温度情報格納部２０と、検出温度情報格納部２１と、情報表示部１９と、ＰＩＤ制御情報自動設定入力部１５と、検出温度表示制御部２６と、ＰＩＤ制御情報の入力操作部１４と、ＰＩＤ制御情報入力選択操作部１８と、異常報知部２４と、温度可変装置リミット設定部２３と、ペルチェ電流表示部２５と、通信信号送受信部２７と、が設けられている。
【００５９】
また、操作量制御装置１１には、温度可変装置操作量算出部３１と、通信信号送受信部３５と、温度可変装置操作量制御手段３２と、異常判断部３３と、検出温度受信部３４と、が設けられている。
【００６０】
検出温度情報格納部２１は、温度検出素子１０により間接的に検出される検出温度（被温度制御対象物９の温度）情報を格納するものである。なお、温度検出素子１０により検出された検出温度（温度検出信号）は、操作量制御装置１１の検出温度受信部３４により受信され、操作量制御装置１１の通信信号送受信部３５と情報入出力装置１２の通信信号送受信部２７とを介し、検出温度情報格納部２１と検出温度表示制御部２６とに加えられる。
【００６１】
目標設定温度情報の入力操作部１３は、時系列上の複数の時点と該時点のそれぞれにおける目標設定温度とを含む目標設定温度情報の入力操作を作業者等が行うための操作部である。本実施形態例においては、情報入出力装置１２はパーソナルコンピュータにより形成されており、目標設定温度情報の入力操作部１３はパーソナルコンピュータのマウスやキーボードにより形成されている。目標設定温度情報の入力操作部１３の操作により入力される目標設定温度情報は、情報表示部１９と、目標設定温度情報格納部２０に加えられる。
【００６２】
目標温度情報格納部２０は、目標設定温度情報の入力操作部１３により入力された目標設定温度情報を格納する。
【００６３】
情報表示部１９は、目標設定温度情報の表示指令が行われたとき、つまり、本実施形態例では、目標設定温度情報の入力操作部１３により目標設定温度情報の入力操作が開始されたときに指令された情報（入力情報）を表示する。この情報表示部１９は、本実施形態例においては、情報入出力装置１２のパーソナルコンピュータ画面（ＣＲＴ）により形成されており、目標設定温度情報の表示は、図３に示すように、プロファイル設定の表（テーブルデータ）による表示と、情報表示部１９に設けられたグラフ表示部３６によるグラフ表示とにより行われる。
【００６４】
グラフ表示部３６は、目標設定温度情報を、時系列上の複数の時点と温度との関係を示すグラフにより表示するものであり、例えば、図３に示すようなグラフ表示を行う。本実施形態例では、例えば作業者等がグラフ表示部３６によるグラフ表示を見ながらの目標設定温度情報の入力操作、つまり、パーソナルコンピュータのマウスを用いてクリックアンドドロップ式の操作をすることで、目標設定温度情報が入力されるように構成されている。
【００６５】
このようなマウスを用いた目標設定温度情報の入力は、非常に簡単で正確に行うことができるので、目標設定温度情報の入力操作時間の短縮化を図れ、目標設定温度情報の入力操作の効率化を図ることができる。
【００６６】
また、本実施形態例において、目標設定温度情報の入力操作部１３は、少なくとも、目標設定温度の上昇開始時点および上昇終了時点と目標設定温度の下降開始時点および下降終了時点の少なくとも一方と、これらの各時点におけるそれぞれの目標設定温度を入力可能と成している。
【００６７】
例えば、図３の特性線ａに示すように、目標設定温度情報の入力操作部１３により、制御開始時点ｔ０と、目標設定温度の上昇開始時点ｔ１および目標設定温度の上昇終了時点ｔ２と、目標設定温度の下降開始時点ｔ３および目標設定温度の下降終了時点ｔ４と、温度制御終了時点ｔ５と、これらの各時点ｔ０〜ｔ５におけるそれぞれの目標設定温度（Ｔ０またはＴ１またはＴ２）を入力可能と成している。なお、図３の左下側に示すプロファイル設定のテーブルデータにおいては、１〜６が、順に、ｔ０〜ｔ５に対応する。また、図３においては、Ｔ０は４０℃、Ｔ１は８０℃、Ｔ２は５０℃である。
【００６８】
目標設定温度情報（温度プロファイル）は様々であり、適宜設定されるものであり、本実施形態例では、情報の形態に応じて様々に、目標設定温度情報の入力操作部１３による入力操作が行えるように構成されている。以下に、目標設定温度情報の入力操作例について述べる。
【００６９】
例えば図４（ａ）に示すように、段階的に目標設定温度を高めていく場合、目標設定温度情報の入力操作部１３によって、制御開始時点ｔ０と、目標設定温度の１段目の上昇開始時点ｔ１と、目標設定温度の１段目の上昇終了時点ｔ２と、目標設定温度の２段目の上昇開始時点ｔ３と、目標設定温度の２段目の上昇終了時点ｔ４と、目標設定温度の下降開始時点ｔ５と、目標設定温度の下降終了時点ｔ６と、温度制御終了時点ｔ７と、これらの各時点ｔ０〜ｔ７におけるそれぞれの目標設定温度（Ｔ０またはＴ１またはＴ２）を入力可能と成している。
【００７０】
また、図４（ｂ）に示すように、目標設定温度の上昇と下降とを繰り返す場合、目標設定温度情報の入力操作部１３により、制御開始時点ｔ０と、目標設定温度の１回目の上昇開始時点ｔ１と、目標設定温度の１回目の上昇終了時点ｔ２と、目標設定温度の１回目の下降開始時点ｔ３と、目標設定温度の１回目の下降終了時点ｔ４と、目標設定温度の２回目の上昇開始時点ｔ５と、目標設定温度の２回目の上昇終了時点ｔ６と、目標設定温度の２回目の下降開始時点ｔ７と、目標設定温度の２回目の下降終了時点ｔ８と、温度制御終了時点ｔ９と、これらの各時点ｔ０〜ｔ９におけるそれぞれの目標設定温度（Ｔ０またはＴ１またはＴ２）を入力可能と成している。
【００７１】
さらに、上記のような様々な温度プロファイルを繰り返し行う場合、その繰り返し回数も入力可能と成しており、さらに、目標設定温度情報の入力操作部１３により入力する時系列上の時点は、目標設定温度の上昇途中（例えば図４（ａ）のＡ）や下降途中（例えば図４（ａ）のＢ）、目標設定温度が一定の区間における１つ以上の区分点（例えば図４（ａ）のＣ、Ｄ）等、必要に応じて様々な時点を設定でき、目標設定温度情報の入力操作部１３は、各時点における目標設定温度も設定できる。
【００７２】
なお、これらの時点、目標設定温度、繰り返し回数の入力は、キーボード操作によるテーブルデータの入力により行うこともできるし、グラフ表示部３６等を見ながらの、マウス操作により行うこともできる。グラフ表示部３６は、目標設定温度の情報がいずれの操作によって行われても、その情報表示をグラフ化して行う。
【００７３】
ＰＩＤ制御情報の入力操作部１４は、前記目標設定温度情報の入力操作部１３により入力設定した時点のそれぞれにおける温度制御用のＰＩＤ制御情報の入力操作を作業者等が行うための操作部である。前記情報表示部１９は、ＰＩＤ制御情報の表示指令が行われたときには、指令されたＰＩＤ制御情報を、例えば図３に示すような表（テーブルデータ）により表示する。
【００７４】
ＰＩＤ制御情報自動設定入力部１５は、目標設定温度情報の入力操作部１３により設定される時点のそれぞれにおける温度制御用のＰＩＤ制御情報を、前記目標設定温度情報に基づいて自動設定入力するものである。
【００７５】
ＰＩＤ制御情報入力選択操作部１８は、ＰＩＤ制御情報の入力操作部１４によるＰＩＤ制御情報の入力と、ＰＩＤ制御情報自動設定入力部１５によるＰＩＤ制御情報の自動設定入力とのいずれかを選択するものであり、選択スイッチ等の適宜の操作部により形成される。ＰＩＤ制御情報入力選択操作部１８の選択信号は、ＰＩＤ制御情報の入力操作部１４とＰＩＤ制御情報自動設定入力部１５のいずれか（選択された方）に加えられる。
【００７６】
ＰＩＤ制御情報入力選択操作部１８によりＰＩＤ制御情報自動設定入力部１５によるＰＩＤ制御情報の自動設定入力が選択されたときには、前記ＰＩＤ制御情報自動設定入力部がＰＩＤ制御情報を自動設定入力する。
【００７７】
以上のようにして、ＰＩＤ制御情報の入力操作部１４とＰＩＤ制御情報自動設定入力部１５のいずれかにより入力されたＰＩＤ制御情報は、通信信号送受信部２７を介して操作量制御装置１１に加えられ、操作量制御装置１１の通信信号送受信部３５を介し、温度可変装置操作量算出部３１に加えられる。
【００７８】
温度可変装置操作量算出部３１は、前記目標設定温度を定めた時点間隔を複数に分割した時間毎の前記温度可変装置（ペルチェモジュール１）の制御操作量を前記ＰＩＤ制御情報に基づいて求めるものである。本実施形態例では、温度可変装置操作量算出部３１は、設定時間毎に、目標設定温度ＳＶ（Ｓｅｔ  ｐｏｉｎｔ  Ｖａｒｉａｂｌｅ）と温度検出素子１０の検出温度ＰＶ（Ｐｒｏｃｅｓｓ  Ｖａｒｉａｂｌｅ）の差が０に近づくように（ＳＶ≒ＰＶ）となるように、ペルチェモジュール１の制御操作量を求める。
【００７９】
なお、温度可変装置操作量算出部３１の構成は特に限定されるものでなく、適宜設定されるものであるが、本実施形態例においては、ＳＶ−ＰＶ差検出回路を有しており、ＳＶ−ＰＶ差検出回路により検出されるＳＶ−ＰＶ差が０に近づくように、ペルチェモジュール１の制御操作量を算出する。求めた値は温度可変装置操作量制御手段３２に加えられる。
【００８０】
温度可変装置操作量制御手段３２は、温度可変装置操作量算出部３１により求めたペルチェモジュール１の制御操作量の算出値に基づきペルチェモジュール１の制御操作量を調節制御することによって、前記温度検出素子１０により検出される温度、例えば予め定められた設定時間毎の検出温度が、前記目標設定温度情報と一致するように、ペルチェモジュール１の制御操作量を調節制御する。
【００８１】
なお、温度可変装置操作量制御手段３２の構成は特に限定されるものでなく、適宜設定されるものであるが、本実施形態例においては、温度可変装置操作量制御手段３２は、ペルチェモジュール１の極性検出回路と極性反転制御回路と、ペルチェ駆動回路とを有している。
【００８２】
そして、温度可変装置操作量制御手段３２は、ペルチェモジュール１の極性を極性検出回路により検出し、温度可変装置操作量算出部３１により求めたペルチェモジュール１の制御操作量の算出値に基づき、極性反転制御回路によって、温度上昇制御時と温度下降制御時とでペルチェモジュール１の極性を反転させて（つまり、ペルチェモジュール１に流す電流の方向を反転させて）、ペルチェ駆動回路を駆動させ、ペルチェモジュール１の制御操作量を前記の如く調節制御しながらペルチェモジュール１を動作させる。
【００８３】
また、本実施形態例では、前記情報入出力装置１２に温度可変装置リミット設定部２３を設けており、温度可変装置リミット設定部２３によってペルチェモジュール１の制御操作量（駆動電流または駆動電圧）上限値を設定する。
【００８４】
そして、温度可変装置操作量制御手段３２は、ペルチェモジュール１の制御操作量が前記制御操作量上限値を越えると予測されるときには、ペルチェモジュール１の制御操作量を前記制御操作量の上限値以下で上限値近傍の値に維持して制御する。
【００８５】
本実施形態例では、上記のような温度可変装置操作量制御手段３２によるペルチェモジュール１の制御操作量調節制御（ペルチェモジュール１に流れる駆動電流または駆動電圧の調節制御）が行われて被温度可変対象物９の温度が可変される。そして、ペルチェモジュール１の制御操作量の値は、操作量制御装置１１の通信信号送受信部３５と情報入出力装置１２の通信信号送受信部２７とを介してペルチェ電流表示部２５に加えられ、ペルチェモジュール１の制御操作量の値、つまり、ペルチェ電流の値が、ペルチェ電流表示部２５により時々刻々と表示される。
【００８６】
また、前記検出温度表示制御部２６は、温度検出素子１０により検出される検出温度を、前記グラフ表示部３６のグラフに表示するものであり、検出温度表示制御部２６は、前記操作量制御装置１１の通信信号送受信部３５と情報入出力装置１２の通信信号送受信部２７とを介して検出温度表示制御部２６に加えられた信号を受けて、温度検出素子１０の検出信号のグラフ表示を行う。
【００８７】
なお、温度検出素子１０により検出された検出信号は、異常判断部３３にも加えられ、異常判断部３３は、少なくとも温度可変装置操作量制御手段３２によるペルチェモジュール１の制御操作量の調節量と温度検出素子１０の検出温度とに基づいて、例えばペルチェモジュール１の断線や、ペルチェモジュール１の駆動電流異常や、温度検出素子１０の検出温度モニタ異常等の様々な要因に基づく、被温度可変対象物９の温度制御状態の異常を判断する。
【００８８】
異常判断部３３は、被温度可変対象物９の温度制御状態の異常を判断したときは、異常判断信号を操作量制御装置１１の通信信号送受信部３５と情報入出力装置１２の通信信号送受信部３７とを介して異常報知部２４に加える。
【００８９】
異常報知部２４は、前記異常判断部３３による異常判断が行われたときに、前記温度制御状態の異常を表示と音声の少なくとも一方により報知する。
【００９０】
なお、前記ＰＩＤ制御情報自動設定入力部１５は、自動設定したＰＩＤ制御情報に基づいて制御される被温度可変対象物９の温度情報を、前記検出温度情報格納部２１から取り込み、取り込んだ温度情報と前記目標設定温度情報格納部２０に格納されている目標設定温度情報とを比較して、その差が小さくなるようにＰＩＤ制御情報を学習により修正する（次回のＰＩＤ制御情報自動設定時に、修正後の値を適用できるようにする）学習手段２２を有している。ＰＩＤ制御情報自動設定入力部１５は、この学習手段２２によって、ＰＩＤ制御情報の自動設定入力を行う毎に、ＰＩＤ制御情報の修正を行いながら自動設定を行う。
【００９１】
本実施形態例は以上のように構成されており、温度制御装置８に、目標設定温度情報の入力操作部１３を設けることによって、時系列上の複数の時点と該時点のそれぞれにおける目標設定温度とを含む目標設定温度情報を入力でき、また、ＰＩＤ制御情報の入力操作部１４を操作することによる前記時点（目標設定温度を設定した時点）毎のＰＩＤ制御情報の入力操作、またはＰＩＤ制御情報自動設定入力部１５によるＰＩＤ制御情報の前記目標設定温度情報に基づく前記時点（目標設定温度を設定した時点）毎の自動設定入力を行うことができる。
【００９２】
本実施形態例は、このように、温度制御装置８に、例えば図３に示したように、時系列上の複数の時点（時系列上の任意設定時点）毎に、目標設定温度とＰＩＤ制御情報を入力できるので、複雑な温度プロファイルであっても、そのプロファイルにとって最も適した時点ポイントで最適なＰＩＤ制御情報の入力操作や自動設定動作を行うことができ、最適なＰＩＤ制御情報を入力することができる。
【００９３】
つまり、本実施形態例によれば、目標設定温度情報は、例えば図３に示したグラフデータのように、時系列上の温度上昇や温度下降のタイミング、温度上昇や温度下降の速度といったきめ細かい情報を含んだ目標設定温度情報が入力可能となり、目標設定温度情報の入力操作部１３が入力した時点のそれぞれにおけるＰＩＤ制御情報が入力操作または自動設定操作により入力されるので、同じ目標設定温度でも、その目標設定温度の設定時点以前の目標設定温度情報に対応させた最適なＰＩＤ制御情報の入力が可能となる。
【００９４】
そして、この最適なＰＩＤ制御情報に基づいて、本実施形態例では、温度可変装置操作量算出部３１が温度可変装置操作量を算出し、この算出値に基づいて、被温度可変対象物の検出温度が前記目標設定温度情報と一致するように、温度可変装置操作量制御手段３２が温度可変装置の制御操作量を調節制御するので、例えば図３の特性線ａに示すような複雑な温度プロファイルであっても、その温度プロファイルに合わせて、特性線ｂに示すように精度良く被温度対象物９の温度制御を行うことができる。
【００９５】
つまり、例えば従来のＰＩＤ制御による温度制御方法を組み合わせて比較的複雑な温度プロファイルを与える場合には、例えば図５に示すように、目標設定温度を例えば室温（例えばＴ０）からＴ１に高めたい時点ｔ１と、室温に戻したい時点ｔ２、室温からＴ２に高めたい時点ｔ３、室温に戻したい時点ｔ４において、それぞれ対応する温度Ｔ０、Ｔ１、Ｔ２に対して定めたＰＩＤ制御値を与えることが考えられるが、この場合、以下の理由によって継続的な温度変動が生じる。
【００９６】
例えば図６（ｂ）の特性線ａに示すように、時点ｔ１において目標設定温度Ｔ１が設定されると、この設定した時点ｔ１においてペルチェモジュール１の温度を上昇させる制御が急速に行われるが、制御開始直後にペルチェモジュール１の温度が目標設定温度Ｔ１になることはなく、ペルチェモジュール１の温度は、ある勾配を持って徐々に高められる。そして、この温度制御によって、特性線ｂに示す温度検出素子１０の検出温度（つまり、被温度可変対象物９の温度）が目標設定温度Ｔ１に成るまでには、時間の遅れｔｄ（秒）が発生する。
【００９７】
そして、ｔｄ秒遅れて温度検出素子１０が目標設定温度Ｔ１に達した瞬間（温度フィードバック（ＰＶ）＝目標設定温度（ＳＶ）Ｔ１となった時点）は、ペルチェモジュール１は急速加熱を行っている状態のため、このとき（ｔ１からｔｄ秒後に）、ペルチェモジュール１による加熱を停止しても、温度検出素子１０の検出温度は目標設定温度Ｔ１よりかなり高くなってしまう（図６（ｂ）の特性線ｂに示すような大きなオーバーシュートが生じる）。
【００９８】
そして、この温度検出素子１０の検出温度が目標設定温度Ｔ１より高い状態から、この温度検出素子１０の検出温度を目標設定温度Ｔ１と等しくするためには、ペルチェモジュール１による急速冷却が行われ、温度検出素子１０が目標設定温度Ｔ１に達した瞬間にペルチェモジュール１による冷却を停止しても、温度検出素子１０の検出温度は目標設定温度Ｔ１よりかなり低くなってしまう。
【００９９】
そして、この温度検出素子１０の検出温度が目標設定温度Ｔ１より低い状態から、温度検出素子１０の検出温度を目標設定温度Ｔ１と等しくするために、ペルチェモジュール１による急速加熱が行われ、その結果、この温度検出素子１０の検出温度が目標設定温度Ｔ１よりかなり高くなるといったように、上記動作が繰り返されて温度変動が続く。したがって、例えば図３の特性線ａに示すような温度プロファイルを実現したくとも実現できず（この温度プロファイルの入力もできず）、被温度可変対象物９には、図３の特性線ｃに示すように温度変動が生じる。
【０１００】
それに対し、本実施形態例では、時系列上の温度上昇や温度下降のタイミング、温度上昇や温度下降の速度といったきめ細かい情報を含んだ目標設定温度情報が入力可能であり、例えば温度上昇開始時と温度上昇終了時におけるＰＩＤ制御情報をそれぞれ、入力操作または自動設定入力によって入力できるので、例えば図６（ａ）に示すように、特性線ａに示す温度フィードバック（ＰＶ）と特性線ｂに示す目標設定温度（ＳＶ）との差が大幅に小さくなる。
【０１０１】
そのため、ＰＶ値がＳＶ値と等しくなる時点の遅れが大幅に小さくなるので、ペルチェモジュール１による加熱や冷却の速度を適宜制御でき、ペルチェモジュール１によって被温度可変対象物９を加熱しすぎたり冷却しすぎたりといったことを抑制できるので、温度変動を非常に小さく抑制できる。
【０１０２】
つまり、本実施形態例では、温度変化を伴う温度プロファイルにとって最も適した時点ポイントで、最適なＰＩＤ制御情報（ＰＩＤパラメータ）、つまり、ＰＩＤ制御情報を入力する時点とそれ以前の時間における目標設定温度情報を考慮したＰＩＤ制御情報を入力できるので、たとえ複雑な温度プロファイルであっても、その温度プロファイルに合わせて精度良く（例えば図３の特性線ａのプロファイルに合わせて、図３の特性線ｂに示したように）、ペルチェモジュール１の温度制御を行うことができる。
【０１０３】
したがって、例えば秒速１〜１０℃の温度制御を、０．１〜０．５℃程度誤差で精度良く行うことができる温度制御システムを実現でき、例えばバイオテクノロジー分野におけるＤＮＡ増殖装置等のように、２段階以上の温度上昇制御を含む１サイクルの温度プロファイルを何サイクルも繰り返し行う温度制御に適用することにより、今まで実現できなかった精度の高い温度制御が実現可能な温度制御システムを構築できる。
【０１０４】
なお、本実施形態例において、前記目標設定温度情報と前記ＰＩＤ制御情報の一方または両方の表示指令が行われたときには、指令された情報の表示が情報表示部１９により行われるので、目標設定温度情報やＰＩＤ制御情報の入力を容易に行うことができる。
【０１０５】
また、実施形態例によれば、ＰＩＤ制御情報の入力操作部１４とＰＩＤ制御情報自動設定入力部１５の両方が設けられているので、ＰＩＤ制御情報の入力操作部１４を用いたＰＩＤ制御情報の入力と、ＰＩＤ制御情報自動設定入力部１５によるＰＩＤ制御情報の自動設定入力とを、必要に応じて適宜行うことにより、上記温度制御を正確に行うことができる。
【０１０６】
さらに、本実施形態例によれば、ＰＩＤ制御情報自動設定入力部１５が、被温度可変対象物９の温度情報と目標設定温度情報とを比較してその差が小さくなるようにＰＩＤ制御情報を学習により修正する学習手段２２を有するので、ＰＩＤ制御情報自動設定入力部１５により設定されるＰＩＤ制御情報が、上記学習によってより的確な値に修正され、より正確な温度制御を行うことができる。
【０１０７】
さらに、本実施形態例によれば、温度可変装置としてペルチェモジュール１を適用しているので、温度制御装置８の温度制御に基づき、被温度可変対象物９の
温度を、容易に、かつ、非常に正確に制御することができる。
【０１０８】
特に、吸熱量（および加熱量）が大きいペルチェモジュール１を適用すれば、温度上昇スピードや温度下降スピードを高くできるので、例えば前記ＤＮＡ増殖装置の温度制御に適用することにより、１サイクルの時間を短くでき、本実施形態例の温度制御システムを適用することにより、ＤＮＡ増殖工程を含む研究開発のトータルコストパフォーマンスを向上させること等ができる。
【０１０９】
さらに、本実施形態例によれば、前記情報表示部１９は、目標設定温度情報を時系列上の複数の時点と温度との関係を示すグラフにより表示するグラフ表示部３６を有するので、このグラフ表示によって、非常に簡潔に、かつ、分かりやすく目標設定温度情報を表示することができ、利用者が目標設定温度情報の設定や認識を的確に行えるようにすることができる。
【０１１０】
さらに、本実施形態例によれば、温度制御装置８は、温度検出素子１０により検出される検出温度をグラフ表示部３６のグラフに表示するので、目標設定温度情報と温度検出素子１０により検出される検出温度とをグラフ表示によって比較することができ、温度制御状態を例えば時々刻々と的確に把握できるようにすることができる。
【０１１１】
さらに、本実施形態例によれば、温度可変装置リミット設定部２３を設け、温度可変装置操作量制御手段３２は、ペルチェモジュール１の制御操作量が前記制御操作量上限値を越えると予測されるときには、ペルチェモジュール１の制御操作量を前記制御操作量の上限値以下で上限値近傍の値に維持して制御するので、ペルチェモジュール１の破損、もしくは、電気的に周辺回路や熱的に周辺環境に悪影響を及ぼすことを抑制できる。
【０１１２】
さらに、本実施形態例によれば、温度制御装置８が、少なくとも温度可変装置操作量制御手段３２によるペルチェモジュール１の制御操作量の調節量と温度検出素子１０の検出温度とに基づいて被温度可変対象物の温度制御状態の異常を判断する異常判断部３３と、異常判断時に温度制御状態の異常を報知する異常報知部２４とを有しているので、温度制御状態の異常判断と異常報知とによって、温度制御の異常を的確に判断して報知し、対処を促すことができる。
【０１１３】
さらに、本実施形態例によれば、温度制御装置８は、互いに通信可能に接続される操作量制御装置１１と情報入出力装置１２とを有しているので、例えば操作量制御装置と情報入出力装置とを互いに離れた場所に設置しても、的確に温度制御を行うことができるし、情報入出力装置を用いた情報入出力動作と操作量制御装置を用いた温度制御動作をより使い勝手が良い状態で各々行うことができ、さらに、温度制御状態に異常が発生したときの異常判断および異常報知を的確にできる。
【０１１４】
さらに、実施形態例によれば、情報入出力装置をとしてパーソナルコンピュータを適用しているので、パーソナルコンピュータを用いての情報入出力動作を容易に、かつ、的確に行うことができる温度制御システムと温度制御装置を実現することができる。
【０１１５】
なお、本発明は上記実施形態例に限定されることはなく、様々な態様を採り得る。例えば、上記実施形態例では、温度制御装置８は、操作量制御装置１１と情報入出力装置１２とを通信可能に接続して形成したが、操作量制御装置１１の機能と情報入出力装置１２の機能とを有する１つの装置によって温度制御装置８を形成することができる。
【０１１６】
また、温度制御装置８を、操作量制御装置１１と情報入出力装置１２とを通信可能に接続して形成する場合にも、情報入出力装置１２は、パーソナルコンピュータ以外の、例えばマイクロコンピュータやゲートアレイ等の装置により形成することもできる。
【０１１７】
さらに、上記実施形態例では、ＰＩＤ制御情報の入力操作部１４とＰＩＤ制御情報自動設定入力部１５の両方を設け、ＰＩＤ制御情報入力選択操作部１８の操作によって、ＰＩＤ制御情報の入力操作部１４による操作と、ＰＩＤ制御情報自動設定入力部１５による情報自動設定入力のいずれかを選択するようにしたが、ＰＩＤ制御情報入力選択操作部１８を省略し、ＰＩＤ制御情報自動設定入力部１５の作動操作部を設けて、該作動操作部による操作が行われたときにＰＩＤ制御情報自動設定入力部１５がＰＩＤ制御情報を自動設定入力し、それ以外はＰＩＤ制御情報の入力操作部１４による入力操作を行うようにしてもよい。
【０１１８】
また、ＰＩＤ制御情報の入力操作部１４とＰＩＤ制御情報自動設定入力部１５のいずれか一方を省略することもできる。このようにすると、温度制御装置８および温度制御システムの簡略化を図ることができる。一方、上記実施形態例のように、ＰＩＤ制御情報の入力操作部１４とＰＩＤ制御情報自動設定入力部１５の両方を有する構成とすると、ＰＩＤ制御情報の入力態様を必要に応じて変えることができる。
【０１１９】
さらに、上記実施形態例では、ＰＩＤ制御情報自動設定入力部１５は、学習手段２２を有する構成としたが、学習手段２２は省略することもできる。この場合、目標設定温度情報格納部２０や検出温度情報格納部２１は省略することができるが、これらの格納部２０，２１は省略せずに、これらの格納部２０，２１に格納した情報の読み出し機能を設け、必要に応じて情報表示部１９に表示できるようにしてもよい。
【０１２０】
さらに、上記実施形態例では、検出温度表示制御部２６を設けて温度検出素子１０の検出温度をグラフ表示したり、ペルチェ電流表示部２５を設けてペルチェモジュール１０の駆動電流を表示したりするようにしたが、これらの表示機能を省略することもできる。ただし、これらの表示機能を有していると、例えば作業者が、温度検出素子１０の検出温度を時々刻々と把握したり、ペルチェモジュール１の駆動電流を時々刻々と把握したりできるので、好ましい。
【０１２１】
さらに、上記実施形態例では、温度可変装置リミット設定部２３を設けてペルチェモジュール１の制御操作量（駆動電流または駆動電圧）上限値を設定し、温度可変装置操作量制御手段３２が、ペルチェモジュール１の制御操作量が前記制御操作量上限値を越えると予測されるときには、ペルチェモジュール１の制御操作量を前記制御操作量の上限値以下で上限値近傍の値に維持して制御したが、温度可変装置リミット設定部２３は省略してもよい。ただし、温度可変装置リミット設定部２３を設けた上記実施形態例のような制御形態にすると、急激な温度上昇や温度下降制御を行う場合でも、ペルチェモジュール１の制御操作量をより一層的確に行うことができる。
【０１２２】
また、温度制御装置８は、例えば図１の破線に示すように、温度可変装置の停止制御部３８を有する構成とし、温度制御装置８の温度可変装置リミット設定部２３には、ペルチェモジュール１等の温度可変装置の制御操作量上限値と作動時間上限値の少なくとも一方を設定する構成とし、温度可変装置の制御操作量が前記制御操作量上限値に達することと温度可変装置の作動時間が前記作動時間上限値に達することの少なくとも一方が生じたときには、停止制御部３８が、予め定めた復帰条件を満たすまで（例えば、予め定めた復帰用設定時間が経過するまで）温度可変装置の作動を停止するようにしてもよい。
【０１２３】
このように構成すると、温度可変装置を、その制御操作量上限値や作動時間上限値を越えて動作させることがないので、温度可変装置をより安全に動作させることができる。
【０１２４】
さらに、上記実施形態例では、異常判断部３３を設けての異常判断や異常報知部２４を設けての異常報知を行うようにしたが、これら、異常判断部３３、異常報知部２４は省略することもできる。ただし、異常判断部３３と異常報知部２４を設けると、温度制御装置８によるペルチェモジュール１等の温度可変装置の制御不良を迅速、かつ、的確に検知し、把握できるので好ましい。
【０１２５】
さらに、上記実施形態例では、温度可変装置を図７（ａ）に示すタイプのペルチェモジュール１としたが、温度可変装置は図７（ｂ）に示すタイプのペルチェモジュールとしてもよいし、フィンを設けても設けなくてもよく、従来提案されているペルチェモジュールやこれから提案される様々なペルチェモジュールを温度可変装置として適用できる。
【０１２６】
さらに、温度可変装置は、ペルチェモジュール１以外でも、被温度可変対象物９の加熱と冷却の少なくとも一方の温度可変動作を行う装置であればよく、例えばヒータやクーラー等の装置としてもよい。
【０１２７】
さらに、上記実施形態例では、被温度可変対象物９の温度を検出する対象物温度検出手段を、ペルチェモジュール１の絶縁性基板６に設けた温度検出素子１０とし、被温度可変対象物９の温度を間接に検出するようにしたが、対象物温度検出手段は、被温度可変対象物９の温度を直接検出するサーミスタとしてもよいし、サーミスタ以外の温度検出手段としてもよい。
【図面の簡単な説明】
【０１２８】
【図１】本発明に係る温度制御システムの一実施形態例の制御構成を示すブロック図である。
【図２】上記実施形態例の温度制御システムを適用して被温度可変対象物の温度を制御するシステム構成例を模式的に示す説明図である。
【図３】上記実施形態例の温度制御システムにおける情報入力画面の例を示す説明図である。
【図４】上記実施形態例において温度制御装置に入力される目標設定温度情報の例を示すグラフである。
【図５】従来例を適用した場合に考えられる温度プロファイルの例を示すグラフである。
【図６】目標設定温度情報と温度制御時のサーミスタの検出温度とのずれを、上記実施形態例（ａ）と従来例（ｂ）とで比較して示す説明図である。
【図７】ペルチェモジュールの代表例を模式的に示す説明図である。
【符号の説明】
【０１２９】
１  ペルチェモジュール
９  被温度可変対象物
１０  サーミスタ
１１  操作量制御装置
１２  情報入出力装置
１３  目標設定温度情報の入力操作部
１４  ＰＩＤ制御情報の入力操作部
１５  ＰＩＤ制御情報自動設定入力部
１８  ＰＩＤ制御情報入力選択手段
１９  情報表示部
２０  目標設定温度情報格納部
２１  検出温度情報格納部
２２  学習手段
２３  温度可変装置リミット設定部
２４  異常報知部
２５  ペルチェ電流表示部
２６  検出温度表示制御部
２７，３５  通信信号送受信部
３１  温度可変装置操作量算出部
３２  温度可変装置操作量制御手段
３３  異常判断部
３６  グラフ表示部
３８  停止制御部
【図１】
2007041947.tif 000003
【図２】
2007041947.tif 000004
【図３】
2007041947.tif 000005
【図４】
2007041947.tif 000006
【図５】
2007041947.tif 000007
【図６】
2007041947.tif 000008
【図７】
2007041947.tif 000009